(57)【要約】【課題】カメラリンクライト機能を有するカメラ１において、ケーブル１本でストロボ信号を出力する。【解決手段】カメラリンクライト機能を有するカメラ１において、シリアル通信手段３１が、シリアル通信の信号を出力する。ストロボ信号発生手段３２が、ストロボ信号を発生させて出力する。合成手段３３が、シリアル通信手段３１により出力されたシリアル通信の信号とストロボ信号発生手段３２により出力されたストロボ信号を合成する。出力コネクタ２２から、合成手段３３による合成結果の信号を出力する。【選択図】  図２
2011040843.tif 000002
【特許請求の範囲】
【請求項１】
カメラリンクライト機能を有するカメラにおいて、
シリアル通信の信号を出力するシリアル通信手段と、
ストロボ信号を発生させて出力するストロボ信号発生手段と、
前記シリアル通信手段により出力されたシリアル通信の信号と前記ストロボ信号発生手段により出力されたストロボ信号を合成する合成手段と、
前記合成手段による合成結果の信号を出力する出力コネクタと、
を備えたことを特徴とするカメラ。
【発明の詳細な説明】
【技術分野】
【０００１】
本発明は、テレビジョンカメラなどのカメラに関し、特に、カメラリンクライト機能を有するカメラの改良に関する。
【背景技術】
【０００２】
カメラリンクライト機能を有するテレビジョンカメラがある。カメラリンクライト機能とは、カメラリンクデータに対してシリアルデータを減らして、コネクタの小型化、ケーブルの細線化を実現した機能である。
【０００３】
図４には、従来のテレビジョンカメラのカメラシステムの一例を示してある。
本例のカメラシステムでは、カメラ１０１と画像処理装置１０２とがカメラリンクケーブル１１１及びストロボ信号ケーブル１１２を介して接続されており、画像処理装置１０２とストロボ発光装置１０３とが接続されており、ストロボ発光装置１０３とストロボ１０４とが接続されている。そして、カメラ１０１からのストロボ信号が、ストロボ信号ケーブル１１２を介して画像処理装置１０２へ伝送された後に、ストロボ発光装置１０３を介してストロボ１０４へ入力される。
【０００４】
図５には、固体撮像素子とカメラリンクライト機能を有するカメラ１０１のブロック構成及びピン（コネクタピン）配置の一例を示してある。
本例のカメラ１０１は、シリアル通信回路１３１を実現するＦＰＧＡ（Ｆｉｅｌｄ  Ｐｒｏｇｒａｍｍａｂｌｅ  Ｇａｔｅ  Ａｒｒａｙ）１２１と、カメラ出力コネクタ１２２を有している。本例のカメラ１０１では、シリアル通信回路１３１は存在するが、カメラ出力コネクタ１２２及びシリアルデータ配列にストロボ信号の割り当てがない。
【０００５】
なお、本例のカメラ１０１では、カメラ出力の１４ピンには、（１）カメラ電源である＋１２Ｖ、（２）カメラ電源である＋１２Ｖ、（３）ＧＮＤ、（４）ＧＮＤ、（５）デジタル出力（シリアル信号）に対応したＤＯＵＴ０（＋）、（６）デジタル出力（シリアル信号）に対応したＤＯＵＴ０（−）、（７）デジタル出力（シリアル信号）に対応したＤＯＵＴ１（＋）、（８）デジタル出力（シリアル信号）に対応したＤＯＵＴ１（−）、（９）デジタル出力用ＣＬＫに対応したＤＣＬＫ（＋）、（１０）デジタル出力用ＣＬＫに対応したＤＣＬＫ（−）、（１１）シリアル通信に対応したＳｅｒＴＣ（＋）、（１２）シリアル通信に対応したＳｅｒＴＣ（−）、（１３）カメラコントロール信号（トリガー信号等）に対応したＣＣ１（＋）、（１４）カメラコントロール信号（トリガー信号等）に対応したＣＣ１（−）が割り当てられている。
図６には、カメラリンクライトカメラ機能のカメラリンクライトデータの配置例を示してある。ここで、ＴｘＯＵＴはシリアルデータ出力（画像デジタルデータ）を示し、ＴｘＣＬＫＯＵＴはシリアルデータの基準ＣＬＫ（画像データの基準）を示し、ＳｅｒＦＧはシリアル通信信号を示し、ＦＶＡＬは垂直基準信号（垂直のスタートを示すもの）を示し、ＬＶＡＬは水平基準信号（水平のスタートを示すもの）を示し、ＤＶＡＬはデータ基準信号（データ出力のスタートを示すもの）を示し、これらはＰｏＣＬ−Ｌｉｔｅの規格である。
【０００６】
先行技術文献の一例として、カメラリンク関連の技術であり、カメラリンク方式で、複数の撮像部から出力する映像データを数珠つなぎにして制御部へ伝送する技術が検討されていた（例えば、特許文献１参照。）。
【先行技術文献】
【特許文献】
【０００７】
【特許文献１】特開２００８−５４０３６号公報
【発明の概要】
【発明が解決しようとする課題】
【０００８】
しかしながら、上述のような従来のカメラ（カメラリンクライトカメラ）１０１では、ケーブル１本でストロボ信号を出力することができないといった問題があった。
本発明は、このような従来の事情に鑑み為されたもので、ケーブル１本でストロボ信号を出力することができるカメラを提供することを目的とする。
【課題を解決するための手段】
【０００９】
上記目的を達成するため、本発明では、カメラリンクライト機能を有するカメラにおいて、次のような構成とした。
すなわち、シリアル通信手段が、シリアル通信の信号を出力する。ストロボ信号発生手段が、ストロボ信号を発生させて出力する。合成手段が、前記シリアル通信手段により出力されたシリアル通信の信号と前記ストロボ信号発生手段により出力されたストロボ信号を合成する。出力コネクタから、前記合成手段による合成結果の信号を出力する。
従って、カメラリンクライト機能を有するカメラにおいて、シリアル通信の信号の出力領域の任意の一部にストロボ信号を割り当てることにより、例えば、ケーブル１本でストロボ信号を出力することができる。
【００１０】
ここで、カメラとしては、種々なものに適用されてもよい。
また、シリアル通信の信号としては、種々なものが用いられてもよく、例えば、カメラで撮像された映像（画像）のデータを用いることができる。
また、ストロボ信号としては、例えば、ストロボを発光させるための信号が用いられる。
また、シリアル通信の信号とストロボ信号とを合成する仕方としては、種々な仕方が用いられてもよく、例えば、時分割多重などを用いることができる。
【発明の効果】
【００１１】
以上説明したように、本発明に係るカメラによると、カメラリンクライトカメラにおいて、例えば、ケーブル１本でストロボ信号を出力することができる。
【図面の簡単な説明】
【００１２】
【図１】本発明の一実施例に係るカメラシステムの構成例を示す図である。
【図２】本発明の一実施例に係る固体撮像素子とカメラリンクライト機能を有するカメラのブロック構成及びピン配置の一例を示す図である。
【図３】（ａ）〜（ｄ）は本発明の一実施例に係るカメラリンクライトカメラ機能のカメラリンクライトデータの配置例を示す図である。
【図４】背景技術に係るカメラシステムの構成例を示す図である。
【図５】背景技術に係る固体撮像素子とカメラリンクライト機能を有するカメラのブロック構成及びピン配置の一例を示す図である。
【図６】背景技術に係るカメラリンクライトカメラ機能のカメラリンクライトデータの配置例を示す図である。
【発明を実施するための形態】
【００１３】
本発明に係る実施例を図面を参照して説明する。
図１には、本発明の一実施例に係るテレビジョンカメラのカメラシステムの構成例を示してある。
本例のカメラシステムでは、テレビジョンカメラであるカメラ１と画像処理装置２とがカメラリンクケーブル１１を介して接続されており、画像処理装置２とストロボ発光装置３とが（例えば、ケーブルを介して）接続されており、ストロボ発光装置３とストロボ４とが（例えば、ケーブルを介して）接続されている。
【００１４】
本例のカメラシステムでは、カメラ１から出力されたストロボ信号が、カメラリンクケーブル１１を介して画像処理装置２に入力され、その後、ストロボ発光装置３に入力されて、ストロボ発光装置３からストロボ４に入力されることにより、ストロボ発光する。
また、本例では、カメラ１の駆動周波数に同期したストロボパルスを出力することを可能としてある。
【００１５】
図２には、固体撮像素子とカメラリンクライト機能を有するカメラ１のブロック構成（特に、ストロボ信号出力ブロック構成）及びピン（コネクタピン）配置の一例を示してある。
本例のカメラ１は、シリアル通信回路３１とストロボ信号発生回路３２とシリアル通信／ストロボ信号合成回路３３を実現するＦＰＧＡ２１と、カメラ出力コネクタ２２を有している。
ここで、シリアル通信回路３１はシリアル通信の信号を出力し、ストロボ信号発生回路３２はストロボ信号を発生させて出力し、シリアル通信／ストロボ信号合成回路３３はシリアル通信回路３１からのシリアル通信の信号とストロボ信号発生回路３２からのストロボ信号とを合成（例えば、時分割などにより重畳）してカメラ出力コネクタ２２へ出力する。
【００１６】
このように、本例のカメラ（カメラリンクライトカメラ）１では、当該カメラ１内にＦＰＧＡ２１が内蔵されており、このＦＰＧＡ２１の中にストロボ信号発生回路３２とシリアル通信回路３１を合成するシリアル通信／ストロボ信号合成回路３３を有することにより、例えば従来の規格及び技術では出力できなかったカメラリンクライトカメラでのストロボ出力をケーブル１本で実現しており、シリアルデータによりカメラ出力コネクタ２２からストロボ出力する。
【００１７】
ここで、本例のカメラ１では、カメラ出力の１４ピンには、（１）＋１２Ｖ、（２）＋１２Ｖ、（３）ＧＮＤ、（４）ＧＮＤ、（５）ＤＯＵＴ０（＋）、（６）ＤＯＵＴ０（−）、（７）ＤＯＵＴ１（＋）、（８）ＤＯＵＴ１（−）、（９）ＤＣＬＫ（＋）、（１０）ＤＣＬＫ（−）、（１１）ＳｅｒＴＣ（＋）、（１２）ＳｅｒＴＣ（−）、（１３）ＣＣ１（＋）、（１４）ＣＣ１（−）が割り当てられている。なお、各ピンの割り当ての内容は、図５について説明したものと同様である。
そして、本例では、カメラ出力において、シリアルデータにストロボの信号を含み得るように構成してある。
【００１８】
図３（ａ）〜図３（ｄ）には、カメラリンクライトカメラ機能のカメラリンクライトデータの配置例を示してある。
図３（ｂ）には、シリアル通信とストロボ信号の割り当ての第１の例を示してある。本例では、シリアル通信Ａに対してストロボ信号が１Ｈの前に配置されている。
図３（ｃ）には、シリアル通信とストロボ信号の割り当ての第２の例を示してある。本例では、シリアル通信Ａに対してストロボ信号が１Ｈの真ん中に配置されている。
図３（ｄ）には、シリアル通信とストロボ信号の割り当ての第３の例を示してある。本例では、シリアル通信Ａに対してストロボ信号が１Ｈの後に配置されている。
また、本例では、ストロボ信号を１Ｈの任意の位置に割り当てることが可能である。ここで、１Ｈは水平走査期間１回分を示す。
また、図３（ａ）におけるＴｘＯＵＴ等は図６について説明したものと同じものを示している。
【００１９】
上述のように、本例のカメラ１では、カメラリンクデータに対してシリアルデータを減らしたカメラリンクライト機能を使用した際に、シリアルデータ配列の一つであるシリアル通信出力信号の領域の一部にストロボ信号出力を割り当てることで、ケーブルの本数を増やすことなく、ストロボ信号も１本で送れるようにしてある。これを実現するために、シリアル通信回路３１の出力とストロボ信号発生回路３２の出力をシリアル通信／ストロボ信号合成回路３３に入力する構成としてある。また、本例では、７番のピンと８番のピンに、ストロボ信号を割り当てている。
【００２０】
以上のように、本例では、固体撮像素子を装備して、カメラリンクライト機能を有する固体撮像装置（本例では、カメラ１）において、ストロボ信号をケーブル１本で出力する機能を有する。
また、本例のカメラ１では、シリアル通信内にストロボ信号を重畳する機能を有する。
また、本例のカメラ１では、シリアル通信とストロボ信号を重畳することを可能とするＦＰＧＡの回路を有する。
【００２１】
このように、本例では、カメラリンクライトカメラのシリアルデータ配列の一つであるシリアル通信出力信号を使用して、その領域の一部を利用してストロボ信号出力に使用することにより、カメラリンクライトカメラにおいてストロボ信号出力を可能としている。ここで、通常、シリアル通信は常時使用する信号ではないため、ストロボ信号への割り当てが可能である。
【００２２】
従って、本例のカメラ１では、カメラリンクライトカメラの出力の一つであるシリアルデータ内のシリアル通信信号を利用して、任意の領域をストロボ信号に割り当てることにより、例えば従来できなかったストロボ出力を可能とすることができ、これにより、カメラリンクライトカメラにおいてケーブル１本でストロボ信号を出力することを可能とすることができる。
【００２３】
なお、本例のカメラ１では、シリアル通信回路３１の機能によりシリアル通信手段が構成されており、ストロボ信号発生回路３２の機能によりストロボ信号発生手段が構成されており、シリアル通信／ストロボ信号合成回路３３の機能により合成手段が構成されており、また、出力コネクタ（本例では、カメラ出力コネクタ２２）を備えている。
【００２４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００２５】
１、１０１・・カメラ（カメラリンクライトカメラ）、  ２、１０２・・画像処理装置、  ３、１０３・・ストロボ発光装置、  ４、１０４・・ストロボ、  １１、１１１・・カメラリンクケーブル、  ２１・・ＦＰＧＡ、  ２２・・カメラ出力コネクタ、  ３１・・シリアル通信回路、  ３２・・ストロボ信号発生回路、  ３３・・シリアル通信／ストロボ信号合成回路、  １１２・・ストロボ信号ケーブル、
【図１】
2011040843.tif 000003
【図２】
2011040843.tif 000004
【図３】
2011040843.tif 000005
【図４】
2011040843.tif 000006
【図５】
2011040843.tif 000007
【図６】
2011040843.tif 000008